(57)【要約】【課題】ＰＤＧＦの分泌を促し、育毛を促進させること。【解決手段】頭皮をマッサージする育毛促進器１００であって、頭皮をマッサージする毛束１１０と、前記毛束１１０を固定する毛束固定部１２０と、前記毛束固定部１２０が取り付けられ、着用者の指が挿入可能な指挿入部１３０と、を含む育毛促進器１００を提供する。【選択図】図３
2019111320.tif 000002
【特許請求の範囲】
【請求項１】
頭皮をマッサージする育毛促進器であって、
頭皮をマッサージする毛束と、
前記毛束を固定する毛束固定部と、
前記毛束固定部が取り付けられ、着用者の指が挿入可能な指挿入部と、を含む育毛促進器。
【請求項２】
着用者の複数の指に挿入されることが可能な請求項１記載の育毛促進器。
【請求項３】
頭皮をマッサージする育毛促進器であって、
頭皮をマッサージする毛束と、
前記毛束が固定され、着用者の指が挿入可能な指挿入部と、を含む育毛促進器。
【請求項４】
前記毛束が前記指挿入部の周縁に植毛される請求項３記載の育毛促進器。
【請求項５】
前記指挿入部が円筒状である請求項１乃至４のいずれかに記載の育毛促進器。
【発明の詳細な説明】
【技術分野】
【０００１】
本発明は、育毛促進器に関する。
【背景技術】
【０００２】
毛には、抜けては生えることを繰り返す生え変わりのサイクル（毛周期）がある。
【０００３】
毛周期は、成長期（ａｎａｇｅｎ）、退行期（ｃａｔａｇｅｎ）、休止期(ｔｅｌｏｇｅｎ)の順を繰り返す。
【０００４】
ヒトの髪の毛の場合、毛は数年間細胞分裂を繰り返して成長を続け、その後退行期に移行すると細胞分裂は止まり、２〜３週間かけて退化を起こし、数ヶ月程度休止期としてとどまる。
【０００５】
そして、その部位に新しい毛が生じると、休止期の毛は抜け落ちる。ヒトの毛では一本一本の毛周期が異なるため、毛の数が保たれている。毛周期に異常が起こると、脱毛の原因となる。
【０００６】
毛包幹細胞とは、毛を形作る角化細胞を供給する源の細胞であり、毛包幹細胞は、色素細胞、毛を取り巻く神経や、毛の周りにある立毛筋と密接に関与する。
【０００７】
そして、皮膚に存在する脂肪前駆細胞が毛包幹細胞を維持し、毛が休止期から次の成長期へ進むのに重要な役割を果たす。
【０００８】
特許文献１には、脂肪細胞により生成される毛包成長因子を含む組成物、ならびに該毛包成長因子を作製および使用する方法について開示されている。
【先行技術文献】
【特許文献】
【０００９】
【特許文献１】特表２００５−５１９５９１号公報
【発明の概要】
【発明が解決しようとする課題】
【００１０】
成長期の毛乳頭にはＰＤＧＦ（Ｐｌａｔｅｌｅｔ−Ｄｅｒｉｖｅｒｄ  Ｇｒｏｗｔｈ  Ｆａｃｔｏｒ：血小板由来増殖因子）受容体が活性化する。
【００１１】
そのため、ＰＤＧＦ受容体を活性化せせることにより、脂肪前駆細胞の発現が増加し、連動して毛包幹細胞が活性化する。
【００１２】
そして、物理的に頭皮に微細な傷をつけることでＰＤＧＦの分泌を促すことができる。
【００１３】
一方で、頭皮に物理的な刺激を与えることで、マッサージ効果が生じ、血液循環の改善効果が生じる。
【００１４】
本発明の目的は、ＰＤＧＦの分泌を促し、育毛を促進させることである。
【００１５】
本発明の他の目的は、頭皮の血行を促進させることである。
【００１６】
本発明の他の目的は、頭皮の毛穴の洗浄をすることである。
【課題を解決するための手段】
【００１７】
本発明の第１の局面に係る育毛促進器は、頭皮をマッサージする育毛促進器であって、
頭皮をマッサージする毛束と、
前記毛束を固定する毛束固定部と、
前記毛束固定部が取り付けられ、着用者の指が挿入可能な指挿入部と、を含む育毛促進器である。
【００１８】
着用者が指挿入部に指を入れて、頭皮をマッサージすることにより、育毛測深器の毛束が頭皮に微細な傷をつける。
【００１９】
これによりＰＤＧＦの分泌が促され、ＰＤＧＦ受容体が活性化し、脂肪前駆細胞の発現が増加し、連動して毛包幹細胞が活性化する。そして、育毛が促進される。
【００２０】
また、頭皮を育毛促進器の毛束でブラッシングすることにより、血行が良くなり、また毛穴が洗浄され、より育毛が促進される。
【００２１】
本発明の第２の局面に係る育毛促進器は、第１の局面に係る育毛促進器であって、着用者の複数の指に挿入されることが可能な育毛促進器である。
【００２２】
着用者は、複数の育毛促進器を複数の指に挿入し、頭皮をマッサージすることができる。また、着用者の複数の指が１つの育毛促進器に挿入することができるようにしてもよい。例えば着用者の人差し指と中指を１つの育毛促進器の指挿入部に挿入できる。
【００２３】
つまり、着用者は、複数の育毛促進器を右手及び左手の両手の複数の指にそれぞれ挿入することができる。
【００２４】
したがって、頭の形状に合わせて頭皮をマッサージできるため、頭皮と毛束との接触面が多くなり、育毛が促進されやすい。
【００２５】
本発明の第３の局面に係る育毛促進器は、頭皮をマッサージする育毛促進器であって、
頭皮をマッサージする毛束と、
前記毛束が固定され、着用者の指が挿入可能な指挿入部と、を含む育毛促進器である。
【００２６】
毛束固定部が指挿入部と一体化し、指挿入部が毛束固定部の機能を有するものであっても上記と同様の効果を奏する。
【００２７】
本発明の第４の局面に係る育毛促進器は、第３の局面に係る育毛促進器であって、前記毛束が前記指挿入部の周縁に植毛される育毛促進器である。
【００２８】
指挿入部の周縁に毛束が植毛される構成であれば、毛束の位置が手のひら側に配置されるように育毛促進器の位置を調節しなくてもよい。
【００２９】
本発明の第５の局面に係る育毛促進器は、第１の局面乃至第４の局面のいずれかに係る育毛促進器であって、前記指挿入部が円筒状である育毛促進器である。
【００３０】
円筒状は略円筒形状を含む概念である。指挿入部が円筒状であることにより、着用者は頭皮をマッサージしやすい位置まで育毛促進器を挿入することができる。
【図面の簡単な説明】
【００３１】
【図１】本発明に係る第１実施形態における育毛促進器の斜視図。
【図２】本発明に係る第１実施形態における育毛促進器の側面視断面図の概念図。
【図３】本発明に係る第１実施形態における育毛促進器を装着したときの概念図。
【図４】本発明に係る第２実施形態における育毛促進器の斜視図。
【図５】本発明に係る第３実施形態における育毛促進器の斜視図。
【図６】本発明に係る第４実施形態における育毛促進器の斜視図。
【発明を実施するための形態】
【００３２】
以下、本発明に係る育毛促進器の実施形態に関して図面を参照しながら説明する。
【００３３】
＜第１実施形態＞
図１、図２及び図３に示すように、育毛促進器１００は、頭皮をブラッシングするための毛束１１０と、
毛束１１０を固定する毛束固定部１２０と、
毛束固定部１２０が取り付けられ、着用者の指に挿入することができる指挿入部１３０と、を含む。
【００３４】
毛束１１０は、複数の毛材１１１を束ねたものである。毛束固定部１２０から毛束１１０の先端までの長さ（毛丈）は、毛束１１０に求める毛腰等を勘案して決定される。
【００３５】
毛束１１０の毛束のｚ軸方向の長さは、例えば、６〜１３ｍｍである。全ての毛束１１０は同じ毛丈であってもよいし、相互に異なっていてもよい。つまり、毛束１１０のｚ軸方向の長さは限定されない。また、毛束１１０のｘｙ平面視の形状は略円形でなくてもよい。
【００３６】
毛束１１０の太さ（毛束径）は、毛束１１０の長さと同様に、毛束１１０に求める毛腰等を勘案して決定される。
【００３７】
毛束１１０の毛束のｘｙ平面視での直径（太さ）は、例えば、１〜３ｍｍである。全ての毛束１１０のｘｙ平面視の直径は、同じであってもよいし、相互に異なっていてもよい。なお、毛束１１０のｘｙ平面視の直径は限定されない。
【００３８】
毛束１１０を構成する複数の毛材１１１としては、例えば、毛先に向かって漸次その径が小さくなり、毛先が先鋭化された毛材１１１（テーパー毛）、毛束固定部１２０から毛先に向かいその径がほぼ同一である毛材１１１（ストレート毛）等が挙げられる。
【００３９】
ストレート毛としては、毛先が毛束固定部１２０の植毛面１２１に略平行な平面とされたものが挙げられる。
【００４０】
毛材１１１の材質は、例えば、６−１２ナイロン（６−１２ＮＹ）、６−１０ナイロン（６−１０ＮＹ）等のポリアミド、ＰＥＴ、ＰＢＴ、ポリトリメチレンテレフタレート（ＰＴＴ）、ポリエチレンナフタレート（ＰＥＮ）、ポリブチレンナフタレート（ＰＢＮ）等のポリエステル、ＰＰ等のポリオレフィン、ポリオレフィン系エラストマー、スチレン系エラストマー等のエラストマー樹脂等が挙げられる。
【００４１】
これらの樹脂材料は、１種単独で又は２種以上を組み合わせて用いることができる。また、毛材１１１としては、芯部と該芯部の外側に設けられた少なくとも１層以上の鞘部とを有する多重芯構造を有するポリエステル製毛材１１１が挙げられる。
【００４２】
毛材１１１の横断面形状は、特に限定されず、真円形、楕円形等の円形、多角形等としてもよい。全ての毛材１１１の断面形状は同じであってもよいし、異なっていてもよい。つまり、毛材１１１のｘｙ平面視の形状は限定されない。
【００４３】
毛材１１１の太さは、材質等を勘案して決定でき、ｘｙ平面視が略円形の場合、例えば、６〜９ｍｉｌ（１ｍｉｌ＝１／１０００ｉｎｃｈ＝０．０２５ｍｍ）である。
【００４４】
また、使用感、刷掃感、清掃効果、耐久性等を考慮して、太さの異なる複数本の毛材１１１を任意に組み合わせて用いてもよい。本実施形態では、毛束１１０は、二つ折りにして毛束固定部１２０に植毛される。
【００４５】
なお、本実施形態では、毛材１１１は毛束ずつで毛束固定部１２０に植毛されているが、１本１本植毛されていてもよい。
【００４６】
毛束固定部１２０は、指挿入部１３０に取り付けられており、毛束１１０を固定するところである。
【００４７】
毛束固定部１２０は、毛束１１０を固定するところである植毛面１２１と、
指挿入部１３０に取り付けられる取付部１２２と、を含む。
【００４８】
毛束固定部１２０の材質の例としては、ポリアセタール樹脂、ポリスチレン樹脂、ポリエチレンテレフタレート樹脂、アクリロニトリルブタジエンスチレン樹脂、セルロースプロピオネート樹脂、ポリアリレート樹脂、ポリカーボネート樹脂、アクリロニトリルスチレン樹脂、ポリエステル、ポリトリメチレンテレフタレート、ポリシクロヘキサンジメチレンテレフタレート等が挙げられる。
【００４９】
これらの樹脂材料は、１種単独で又は２種以上を組み合わせて用いることができる。
【００５０】
植毛面１２１は、毛束１１０が固定されているところである。植毛面１２１は、平面でも曲面であってもよい。
【００５１】
取付部１２２は、指挿入部１３０と接続される部分である。本実施形態では、毛束固定部１２０と指挿入部１３０は別々の部材であるが、一体で構成されていてもよい。
【００５２】
指挿入部１３０は、着用者の指を挿入するところである。本実施形態では、指挿入部１３０は、ｙ軸方向に貫通した略円筒状の形状である。
【００５３】
指挿入部１３０のｘｚ平面の直径は、一般的な人の指が挿入可能な大きさとなるような直径である。
【００５４】
指挿入部１３０のｘｚ平面の直径は、親指、人差し指、中指、薬指、小指それぞれの大きさに合わせた直径であってもよい。
【００５５】
指挿入部１３０の材質は、軟質ブラスチックや硬質ゴム等の若干柔らかい材質が好ましい。
【００５６】
本実施形態では、指挿入部１３０の貫通孔は１つであるが、複数の貫通孔を有するものであってもよい。
【００５７】
＜第２実施形態＞
第２実施形態は、毛束固定部１２０が指挿入部１３０と一体となった構成である。第１実施形態と同様の構成については省略又は簡略して説明する。
【００５８】
図４に示すように、第２実施形態では、育毛促進器２００は、頭皮をブラッシングするための毛束２１０と、
毛束２１０を固定し、着用者の指に挿入することができる指挿入部２３０と、を含む。
【００５９】
毛束２１０は、第１実施形態における毛束１１０と同様であるため、説明を省略する。
【００６０】
指挿入部２３０は、毛束２１０を植毛するための植毛面２３１を有する。植毛の仕方は第１実施形態と同様に毛束２１０を２つ折りにして植毛する。
【００６１】
指挿入部２３０は、第１実施形態と同様に、ｙ軸方向に貫通する略円柱状の形状である。
【００６２】
＜第３実施形態＞
第３実施形態は、指挿入部１３０が第１実施形態と異なる形状のものである。第１実施形態又は第２実施形態と同様の構成については省略又は簡略して説明する。
【００６３】
図５に示すように、第３実施形態では、育毛促進器３００は、頭皮をブラッシングするための毛束３１０と、
毛束３１０を固定する毛束固定部３２０と、
毛束固定部３２０が取り付けられ、着用者の指に挿入することができる指挿入部３３０と、を含む。
【００６４】
毛束３１０は、毛束１１０と同様であるため、説明を省略する。また、毛束固定部３２０は、毛束固定部１２０と同様であるため、説明を省略する。
【００６５】
指挿入部３３０は、ｙ軸正方向側（指の先端側）の端部は閉じられている構成である。このような指挿入部３３０であっても同様の効果を奏する。
【００６６】
指挿入部３３０の材質は、第１実施形態又は第２実施形態と同様である。
【００６７】
＜第４実施形態＞
第４実施形態は、第２実施形態と同様に、毛束固定部１２０が指挿入部１３０と一体となった構成であり、指挿入部１３０の周縁に毛束１１０が設けられた構成である。第１実施形態、第２実施形態又は第３実施形態と同様の構成については省略又は簡略して説明する。
【００６８】
図６に示すように、第４実施形態では、第２実施形態と同様に、育毛促進器４００は、頭皮をブラッシングするための毛束４１０と、
毛束４１０を固定し、着用者の指に挿入することができる指挿入部４３０と、を含む。毛束４１０は、毛束１１０と同様であるため、説明を省略する。
【００６９】
指挿入部４３０は、ｙ軸方向に貫通する略円筒状の形状である。略円筒状の指挿入部４３０の周縁には毛束４１０が植毛されている。
【００７０】
つまり、指挿入部４３０のｙ軸方向を軸として、その周縁に毛束４１０が配置される。
【００７１】
本実施形態では、指挿入部４３０の周縁全体に毛束４１０が植毛されているが、部分的に植毛される構成であってもよい。
【００７２】
（育毛促進器の使用方法）
育毛促進器の使用方法を、育毛促進器１００を用いて説明する。なお、育毛促進器２００、３００、４００の場合も同様である。
【００７３】
図３に示すように、育毛促進器１００は、着用者の指に挿入される。育毛促進器１００は着用者のどの指に挿入されてもよい。
【００７４】
図３では、育毛促進器１００は、着用者の人差し指、中指及び薬指に挿入されているが、小指や親指にも挿入されてもよい。
【００７５】
また、図３では、着用者の左手に育毛促進器１００が挿入されているが、右手に挿入されてもよい。育毛促進器１００は、着用者の両手に挿入されてもよい。
【００７６】
また、複数の育毛促進器１００をそれぞれ同時に複数の指に挿入してもよい。また、一つの育毛促進器１００に複数の指が挿入される構成であってもよい。
【００７７】
この場合、指挿入部１３０は一つの貫通孔が設けられており、一つの貫通孔に複数の指が挿入可能であるとしてもよい。また、指挿入部１３０に複数の貫通孔が設けられており、それぞれの貫通孔に一本の指が挿入可能としてもよい。
【００７８】
着用者は、右手、左手又は両手に挿入された育毛促進器１００を用いて、頭皮をマッサージする。
【００７９】
着用者の複数の指に育毛促進器１００が挿入されることにより、頭部の形状に合わせて、頭皮をマッサージすることができる。
【００８０】
育毛促進器１００によってマッサージされた頭皮には、微細な傷がつく。
【００８１】
頭皮についた微細な傷によって、ＰＤＧＦ（Ｐｌａｔｅｌｅｔ−Ｄｅｒｉｖｅｒｄ  Ｇｒｏｗｔｈ  Ｆａｃｔｏｒ：血小板由来増殖因子）の分泌が促される。
【００８２】
ＰＤＧＦ受容体を活性化することにより、脂肪前駆細胞の発現が増加し、連動して毛の幹細胞が活性化する。
【００８３】
毛髪が休止期から次の成長期へ進み、毛髪が増加する。
【００８４】
また、育毛促進器１００によって頭皮をマッサージすることにより、頭皮の血行が良くなるという効果も有する。また、育毛促進器１００によって頭皮をマッサージすることにより、毛穴が洗浄されるという効果も有する。
【００８５】
これらの効果もあり、育毛促進器１００を用いて頭皮をマッサージすると育毛が促進される。
【００８６】
本発明は、その趣旨を逸脱しない範囲で種々の改良、修正、又は変形を加えた態様でも実施できる。
【符号の説明】
【００８７】
１００…育毛促進器（第１実施形態）
１１０…毛束
１２０…毛束固定部
１２１…植毛面
１３０…指挿入部
２００…育毛促進器（第２実施形態）
２１０…毛束
２３０…指挿入部
３００…育毛促進器（第３実施形態）
３１０…毛束
３２０…毛束固定部
３３０…指挿入部
４００…育毛促進器（第４実施形態）
４１０…毛束
４３０…指挿入部
【図１】
2019111320.tif 000003
【図２】
2019111320.tif 000004
【図３】
2019111320.tif 000005
【図４】
2019111320.tif 000006
【図５】
2019111320.tif 000007
【図６】
2019111320.tif 000008